(57)【要約】【課題】  使用者がパソコンを使用していない時にアプリケーションソフトの起動が行われるようにして、パソコンへの大きな付加が加わることを避けられるようにしたパーソナルコンピュータおよびアプリケーションソフトの起動管理システムを提供する。【解決手段】  アプリケーションソフトを自動的に起動させるアプリケーションソフト起動手段と、アプリケーションソフトの起動開始予定時期情報が登録されている登録手段と、パーソナルコンピュータの使用者のスケジュール情報を入力する手段と、登録手段に登録されている起動開始予定時期と、前記入力されたスケジュール情報とを照合する照合手段と、照合の結果、起動開始予定時期が、前記スケジュール情報においてパーソナルコンピュータの使用予定時期と重なる場合には、起動開始予定時期を変更して、パーソナルコンピュータの使用予定時期と重ならない時期に変更して再登録する登録変更手段とを有する。【選択図】        図１
2007065813.tif 000002
【特許請求の範囲】
【請求項１】
パーソナルコンピュータに搭載されたアプリケーションソフトを自動的に起動させるアプリケーションソフト起動手段と、前記アプリケーションソフトの起動に関する起動開始予定時期情報が登録されている登録手段と、前記パーソナルコンピュータの使用者のスケジュール情報を入力する手段と、前記登録手段に登録されている起動開始予定時期と、前記入力されたスケジュール情報とを照合する照合手段と、前記照合手段による照合の結果、前記起動開始予定時期が、前記スケジュール情報において前記パーソナルコンピュータの使用予定時期と重なる場合には、前記起動開始予定時期を前記パーソナルコンピュータの使用予定時期と重ならない時期に変更して再登録する登録変更手段とを有することを特徴とするパーソナルコンピュータ。
【請求項２】
アプリケーションソフトが搭載されたパーソナルコンピュータと、前記パーソナルコンピュータと通信可能に接続されたＩＣカードリーダと、前記パーソナルコンピュータを使用する使用者のスケジュール情報が記憶されたＩＣカードとからなるアプリケーションソフトの起動管理システムであって、
前記パーソナルコンピュータが、パーソナルコンピュータに搭載されたアプリケーションソフトを自動的に起動させるアプリケーションソフト起動手段と、前記アプリケーションソフトの起動に関する起動開始予定時期情報が登録されている登録手段と、前記ＩＣカードリーダにより、前記ＩＣカードに記憶されているスケジュール情報を読み取る手段と、前記登録手段に登録されている起動開始予定時期と、前記ＩＣカードから読み取られたスケジュール情報とを照合する照合手段と、前記照合手段による照合の結果、前記起動開始予定時期が、前記スケジュール情報において前記パーソナルコンピュータの使用予定時期と重なる場合には、前記起動開始予定時期を前記パーソナルコンピュータの使用予定時期と重ならない時期に変更して再登録する登録変更手段とを有することを特徴とするアプリケーションソフトの起動管理システム。
【発明の詳細な説明】
【技術分野】
【０００１】
本発明は、パーソナルコンピュータに搭載されているアプリケーションソフトの起動時期を、パーソナルコンピュータ使用者のスケジュールに応じて、パーソナルコンピュータが使用されない時刻に変更できるようにしたパーソナルコンピュータおよびアプリケーションソフトの起動管理システムに関する。
【背景技術】
【０００２】
通常、パーソナルコンピュータには種々のアプリケーションソフトが搭載されており、パーソナルコンピュータの使用者は、必要に応じてこれらのアプリケーションソフトを起動させることで、所望の処理を実行させている。
これらのアプリケーションソフトとしては、例えば、パーソナルコンピュータがウィルスに感染されているか否かをチェックするためのウィルスチェック用のアプリケーションソフトがある。
これらのウィルスチェックソフトでは、パーソナルコンピュータ使用者の操作によりいつでもウィルスチェックを開始させる機能や、また定期的に、予め設定された日時に自動的にウィルスチェックを起動させて、ウィルスチェックの処理を開始させる機能などが備えられている。
また、従来技術として、ウィルスチェックを定期的に実行し監視するウィルスアラートリモート監視システムなども知られている。（例えば、特許文献１参照）
【特許文献１】特開平１１−３２７８９７号公報
【０００３】
そして、会社などの事業所では、ウィルスチェックを完全に実施させるために、パーソナルコンピュータ管理の統括部署などにより、管理する全てのパーソナルコンピュータに対して同時にウィルスチェックが自動的に実施されるように設定している場合が多い。
これらの場合には、パーソナルコンピュータが使用されているか否かにかかわらず、自動的にウィルスチェックが起動されるので、パーソナルコンピュータ使用者が他のアプリケーションソフトを起動させて処理していると、処理の重複によりパーソナルコンピュータに大きな付加が加わり、パーソナルコンピュータが故障する原因となるなどの危険性があるという問題がある。
【発明の開示】
【発明が解決しようとする課題】
【０００４】
そこで、本発明は、パーソナルコンピュータに予め設定された日時に自動的にウィルスチェックなどのアプリケーションソフトを起動開始させる機能を有する場合であっても、パーソナルコンピュータ使用者毎のスケジュールに合わせて、パーソナルコンピュータが使用されない時間帯にウィルスチェックなどのアプリケーションソフトが自動的に起動開始されるように起動開始時期の変更を行い、常に使用者がパーソナルコンピュータを使用していない時に、アプリケーションソフトの起動が行われるようにして処理の重複を回避させ、パーソナルコンピュータへの大きな付加が加わらないようにして、パーソナルコンピュータの故障原因を減少できるようにしたパーソナルコンピュータおよびアプリケーションソフトの起動管理システムを提供する。
【課題を解決するための手段】
【０００５】
本発明のパーソナルコンピュータは、パーソナルコンピュータに搭載されたアプリケーションソフトを自動的に起動させるアプリケーションソフト起動手段と、前記アプリケーションソフトの起動に関する起動開始予定時期情報が登録されている登録手段と、前記パーソナルコンピュータの使用者のスケジュール情報を入力する手段と、前記登録手段に登録されている起動開始予定時期と、前記入力されたスケジュール情報とを照合する照合手段と、前記照合手段による照合の結果、前記起動開始予定時期が、前記スケジュール情報において前記パーソナルコンピュータの使用予定時期と重なる場合には、前記起動開始予定時期を前記パーソナルコンピュータの使用予定時期と重ならない時期に変更して再登録する登録変更手段とを有することを特徴とする。
【０００６】
本発明のアプリケーションソフトの起動管理システムは、アプリケーションソフトが搭載されたパーソナルコンピュータと、前記パーソナルコンピュータと通信可能に接続されたＩＣカードリーダと、前記パーソナルコンピュータを使用する使用者のスケジュール情報が記憶されたＩＣカードとからなるアプリケーションソフトの起動管理システムであって、前記パーソナルコンピュータが、パーソナルコンピュータに搭載されたアプリケーションソフトを自動的に起動させるアプリケーションソフト起動手段と、前記アプリケーションソフトの起動に関する起動開始予定時期情報が登録されている登録手段と、前記ＩＣカードリーダにより、前記ＩＣカードに記憶されているスケジュール情報を読み取る手段と、前記登録手段に登録されている起動開始予定時期と、前記ＩＣカードから読み取られたスケジュール情報とを照合する照合手段と、前記照合手段による照合の結果、前記起動開始予定時期が、前記スケジュール情報において前記パーソナルコンピュータの使用予定時期と重なる場合には、前記起動開始予定時期を前記パーソナルコンピュータの使用予定時期と重ならない時期に変更して再登録する登録変更手段とを有することを特徴とする。
【発明の効果】
【０００７】
本発明のパーソナルコンピュータは、パーソナルコンピュータ使用者毎のスケジュールに合わせて、パーソナルコンピュータが使用されない時間帯にアプリケーションソフトが自動的に起動開始されるように起動開始時期の変更を行うことができるので、処理の重複を回避させ、パーソナルコンピュータへの大きな付加が加わることが避けられ、パーソナルコンピュータの故障原因を減少できるという効果がある。
【０００８】
本発明のアプリケーションソフトの起動管理システムは、ＩＣカードに記憶されているパーソナルコンピュータの使用者のスケジュール情報に基づいて、パーソナルコンピュータが使用されない時間帯にアプリケーションソフトが自動的に起動開始されるように起動開始時期の変更を行うことができるので、処理の重複を回避させ、パーソナルコンピュータへの大きな付加が加わることが避けられ、パーソナルコンピュータの故障原因を減少できるという効果がある。
【発明を実施するための最良の形態】
【０００９】
以下、本発明の実施形態に係るパーソナルコンピュータおよびアプリケーションソフトの起動管理システムについて、図面に基づいて詳細に説明する。
図１は、本発明の実施形態に係るアプリケーションソフトの起動管理システムについての構成の概要を説明する図、図２は、ＩＣカードの平面図、図３は、ＩＣカードのシステムブロック図、図４は、本発明の実施形態に係るパーソナルコンピュータおよびアプリケーションソフトの起動管理システムのシステムブロック図、図５は、本発明の実施形態に係るアプリケーションソフトの起動管理システムにおいて、アプリケーションソフトの起動開始予定時期を変更する場合について説明する図、図６は、本発明の実施形態に係るアプリケーションソフトの起動管理システムの処理手順を説明するフローチャート図である。
【００１０】
本発明の実施形態に係るアプリケーションソフトの起動管理システムは、図１に示すように、アプリケーションソフトが搭載されたパーソナルコンピュータ１と、このパーソナルコンピュータ１と通信可能に接続されたＩＣカードリーダ２と、パーソナルコンピュータ１を使用する使用者のスケジュール情報が記憶されたＩＣカード３とからなる。
【００１１】
ＩＣカード３は、図２に示すように、ＩＣチップが内蔵されたＩＣモジュール４がカード基材に埋設されている。
そして、図３に示すように、ＩＣモジュール４には、ＣＰＵ５、読み出し専用メモリ（ＲＯＭ）６、書き換え可能な不揮発性メモリ（ＥＥＰＲＯＭ）７、揮発性メモリ（ＲＡＭ）８などが備えられているＩＣチップが内蔵されている。
また、更にＩＣモジュール４には、電源電圧を供給するＶＣＣ端子９、接地用のＧＮＤ端子１０、リセット信号を供給するＲＳＴ端子１１、クロック信号を供給するＣＬＫ端子１２、データ入出力用のＩ／Ｏ端子１３が備えられている。
【００１２】
そして、ＥＥＰＲＯＭ７には、ＩＣカード１の使用者のスケジュール情報１４が記憶されている。
このスケジュール情報とは、ＩＣカード１の使用者の行動予定に関するスケジュールなどであり、例えば、その使用者が会社員であれば、所用による外出、会議、打ち合わせ、などについて、それらを何時行うのかといった時期情報と共に行動予定がわかるようにした情報である。
使用者は、随時に新たな予定が入った際に、ＩＣカードリーダ２にＩＣカード１をセットして、パーソナルコンピュータ１の入力手段から新たな予定を自由に書き込むことでスケジュール情報１４の追加や変更を行えるようにしてある。
【００１３】
また、図４に示すように、パーソナルコンピュータ１には、表示手段１５、インターフェース（Ｉ/Ｆ）１６、登録変更手段１７、入力手段１８、アプリケーションソフト起動手段１９、登録手段２０、照合手段２１、記憶手段２２、制御手段２３などが備えられている。
ＩＣカード３からスケジュール情報を読み取るＩＣカードリーダ２は、Ｉ/Ｆ１６によりパーソナルコンピュータ１と接続されている。
記憶手段２２には、ウィルスチェックソフトなどのアプリケーションソフト２４が予め搭載されており、また、登録手段２０には、アプリケーションソフトの起動に関する起動開始予定時期情報が登録されている。
また、アプリケーションソフト起動手段１９は、パーソナルコンピュータ１に搭載されたアプリケーションソフトを、登録手段２０に登録されている起動開始予定時期に自動的に起動させる機能を有している。
【００１４】
照合手段２１は、登録手段２０に登録されている起動開始予定時期と、ＩＣカード１から読み取られたスケジュール情報とを照合する機能を有している。
また、登録変更手段１７は、照合手段２１による照合の結果、起動開始予定時期が、スケジュール情報においてパーソナルコンピュータ１の使用予定時期と重なる場合には、起動開始予定時期をパーソナルコンピュータの使用予定時期と重ならない時期に変更して再登録する機能を有している。
【００１５】
図５には、パーソナルコンピュータ１の登録手段２０に登録されているアプリケーションソフトの起動開始予定時期情報と、ＩＣカード１から読み取られたスケジュール情報との関係について、具体的な事例が示されている。
図５の事例では、パーソナルコンピュータ１の登録手段２０に登録されているアプリケーションソフトの起動開始予定時期情報として、ウィルスチェックの起動開始が１４時から予定されて、その登録がされている。
また、パーソナルコンピュータ１が、ＩＣカード１から読み取られたスケジュール情報には、９時から１１時の２時間の間において会議があり、１６時から１８時の２時間の間において外出の予定が入っており、これらの各々の時間帯はＩＣカード１の使用者が会社の自分の席にいないことになる。
【００１６】
これらのことから、上記の時間帯は、ＩＣカード１の使用者が自分の席にいないので、自分の机に置かれているパーソナルコンピュータ１が使用されない状態におかれていることとなるが、上記の時間帯以外の時間帯である１１時から１６時の５時間の時間帯は、自分の席にいることが想定され、パーソナルコンピュータ１が使用される可能性がある高く、ウィルスチェックの起動が開始された場合に、他のソフトの起動と重複された処理が行われると予想される。
【００１７】
そこで、本発明では、パーソナルコンピュータ１の登録手段２０に登録されているアプリケーションソフトの起動を、使用者がパーソナルコンピュータを使用していない時に行わせるようにして、アプリケーションソフトの処理と、パーソナルコンピュータ使用者による処理とが重ならないようにすることで、パーソナルコンピュータへの大きな付加が加わることを避けて、パーソナルコンピュータの故障原因を減少できるようにするものであるから、上記の事例のように、ウィルスチェックの起動開始の予定時期が、パーソナルコンピュータ１の使用者が自席にいてパーソナルコンピュータ１が使用される可能性がある場合には、ウィルスチェックの起動開始の予定時期を、使用者が自席にいないで、会議に出席したり、外出する時間帯に起動するように登録の変更を行うことができるようにしてある。
【００１８】
したがって、上記の事例では、１４時からのウィルスチェックの起動開始予定を、１６時から起動させるように予定変更して、登録手段２０に登録されている起動開始予定時期の登録変更を行うことで、アプリケーションソフトの処理と、パーソナルコンピュータ使用者による処理とが重ならないようにしてある。
【００１９】
次に、本発明の実施形態に係るアプリケーションソフトの起動管理システムの処理手順を、図６に示すフローチャート図に基づいて説明する。
パーソナルコンピュータの使用者は、ＩＣカードリーダ２のカード挿入口からＩＣカード３を挿入して、ＩＣカード３の記憶手段２２に記憶されている使用者のスケジュール情報をＩＣカードリーダ２で読み取らせ、そのスケジュール情報をパーソナルコンピュータ１に送る。（ステップＳ１）
次に、パーソナルコンピュータ１の登録手段に登録されているアプリケーションソフトの起動に関する起動開始予定時期情報と、ＩＣカードリーダ２でＩＣカード３から読み取ったスケジュール情報との照合が行われる。（ステップＳ２）
【００２０】
この照合処理においては、アプリケーションソフトの起動開始予定時期と、ＩＣカードリーダ２でＩＣカード３から読み取ったスケジュール情報において、その使用者のパーソナルコンピュータ１の使用予定時期とが重なるか否かの判定が行なわれる。（ステップＳ３）
そして、この照合の判定において、起動開始予定時期と、パーソナルコンピュータ１の使用予定時期とが重なる場合には、パーソナルコンピュータ１の登録変更手段１７により、アプリケーションソフトの起動開始予定時期を使用者のパーソナルコンピュータ１の使用予定時期と重ならない時期に変更して、再登録する処理を行う。（ステップＳ４）
尚、この照合の判定において、起動開始予定時期と、パーソナルコンピュータ１の使用予定時期とが重ならない場合には、そのままの状態で、当初に設定されたアプリケーションソフトの起動開始予定時期に、アプリケーションソフトの起動を開始させる。
【００２１】
上記のように、本発明は、アプリケーションソフトを自動的に起動させるように設定させた場合でも、パーソナルコンピュータ１の使用者のスケジュールに応じて、起動設定の変更を行えるようにして、パーソナルコンピュータ１の使用者がパーソナルコンピュータ１を使用しない時期に自動的に起動させることができるものである。
【図面の簡単な説明】
【００２２】
【図１】本発明の実施形態に係るアプリケーションソフトの起動管理システムについての構成の概要を説明する図である。
【図２】ＩＣカードの平面図である。
【図３】ＩＣカードのシステムブロック図である。
【図４】本発明の実施形態に係るパーソナルコンピュータおよびアプリケーションソフトの起動管理システムのシステムブロック図である。
【図５】本発明の実施形態に係るアプリケーションソフトの起動管理システムにおいて、アプリケーションソフトの起動開始予定時期を変更する場合について説明する図である。
【図６】本発明の実施形態に係るアプリケーションソフトの起動管理システムの処理手順を説明するフローチャート図である。
【符号の説明】
【００２３】
１  パーソナルコンピュータ
２  ＩＣカードリーダ
３  ＩＣカード
４  ＩＣモジュール
５  ＣＰＵ
６  読み出し専用メモリ（ＲＯＭ）
７  書き換え可能な不揮発性メモリ（ＥＥＰＲＯＭ）
８  揮発性メモリ（ＲＡＭ）
９  ＶＣＣ端子
１０  接地用のＧＮＤ端子
１１  ＲＳＴ端子
１２  ＣＬＫ端子
１３  Ｉ／Ｏ端子
１４  スケジュール情報
１５  表示手段
１６  インターフェース（Ｉ/Ｆ）
１７  登録変更手段
１８  入力手段
１９  アプリケーションソフト起動手段
２０  登録手段
２１  照合手段
２２  記憶手段
２３  制御手段
【図１】
2007065813.tif 000003
【図２】
2007065813.tif 000004
【図３】
2007065813.tif 000005
【図４】
2007065813.tif 000006
【図５】
2007065813.tif 000007
【図６】
2007065813.tif 000008